【事件の表示】
　特願２００９−　５７９９２「液晶表示装置用薄膜トランジスタ基板」拒絶査定不服審判事件〔平成２１年　６月　４日出願公開、特開２００９−１２２７１４〕について、次のとおり審決する。
【結　論】
　本件審判の請求は、成り立たない。
【理　由】
１　手続の経緯の概要
　本願は、平成１４年１０月８日（パリ条約による優先権主張２００１年１１月２２日、大韓民国）に出願した特願２００２−２９４８０２号（以下「原出願」という。）の一部を平成２１年３月１１日に新たな特許出願としたものであって、平成２１年３月１９日付けで手続補正がなされ、同年７月７日付けで拒絶理由が通知され、平成２２年１月１４日付けで手続補正がなされ、同年３月８日付けで拒絶査定がなされ、これに対し、同年７月１６日に拒絶査定不服審判が請求されると同時に手続補正がなされたものである。
　
　
２　原査定の拒絶の理由
（１）平成２１年７月７日付け拒絶理由通知書
　平成２１年７月７日付けで通知した拒絶の理由は、次に抜粋して示すとおりのものである。
　
「理由１
・・・
　
　理由２
・・・
  この出願は、特許請求の範囲の記載が下記の点で、特許法第３６条第６項第１号に規定する要件を満たしていない。
・・・
　
　　　　　　　　　　　　記
　
　（１）本願発明の詳細な説明を参酌するに、本願発明が解決しようとする課題は「側面視認性に優れた多重ドメイン液晶表示装置を実現すること」（［０００８］）であり、「液晶が左右に傾く左右ドメイン内の電界を上下に傾く上下ドメイン内の電界に比べて弱く維持する」（［０００９］）ことにより、上記課題を解決している。
　しかし、請求項１には「第１方向ドメイン」が「上下ドメイン」であり、「第２方向ドメイン」が「左右ドメイン」である旨が記載されていない。（なお、「第１方向ドメイン」が「左右ドメイン」であり、「第２方向ドメイン」が「上下ドメイン」であれば、上下方向の視認性はよくなるものの、左右（側面）方向の視認性はよくならず、このような液晶表示装置は発明の詳細な説明に記載されていない。）
　
・・・
　
　・・・請求項１〜１０に係る発明は、発明の詳細な説明に記載したものでなく、・・・。」
　
（２）平成２２年３月８日付け拒絶査定
　平成２２年３月８日付け拒絶査定の備考欄には、次のとおりの記載がある。
　
「理由２（１）
請求項１〜６２について
　本願発明の詳細な説明を参酌するに、本願発明が解決しようとする課題は「側面視認性に優れた多重ドメイン液晶表示装置を実現すること」（［０００８］）であり、「液晶が左右に傾く左右ドメイン内の電界を上下に傾く上下ドメイン内の電界に比べて弱く維持する」（［０００９］）ことにより、上記課題を解決している。
　しかし、依然として、請求項１〜６２には、上記課題を解決していない発明も含まれているので、発明が解決しようとする課題及び発明の技術上の意義が理解できず、請求項１〜６２に係る発明は、発明の課題を解決するための手段が反映されていない。
　よって、この出願の発明の詳細な説明は、請求項１〜６２に係る発明について、経済産業省令で定めるところにより記載されたものでない。
　また、請求項１〜６２に係る発明は、発明の詳細な説明に記載したものでない。」
　
　
３　本願明細書及び特許請求の範囲の記載
（１）平成２２年７月１６日に補正された特許請求の範囲の請求項１の記載は、次のとおりである。
　
「第１絶縁基板と、
　第１画素領域に配置される第１画素電極及び第２画素電極を含む画素電極と、
　前記第１絶縁基板に配置され、前記第２画素電極と接触孔を介して接続される結合電極と、
　前記第１絶縁基板に対向する第２絶縁基板と、
　前記第２絶縁基板上に配置される共通電極と、
　前記第１絶縁基板及び前記第２絶縁基板の間に配置される液晶層と、
を備え、
　前記液晶層は、前記第１画素電極に対応する第１液晶領域と、前記第２画素電極に対応する第２液晶領域とを備え、
　前記液晶表示装置に電界が印加される際に、前記第１液晶領域に印加される電界が、前記第２液晶領域に印加される電界と異なり、
　前記第１液晶領域と前記第２液晶領域は複数のドメインを備える、液晶表示装置。」（以下「本願発明」という。）
　
（２）本願明細書（なお、本願明細書は、出願当初のものから補正されていない。）には、以下のア〜キの記載がある。
　ア　「【０００１】
　本発明は液晶表示装置及びそれに用いられる基板に関する。」
　
　イ　「【０００８】
　本発明が目的とする技術的課題は、側面視認性に優れた多重ドメイン液晶表示装置を実現することである。」
　
　ウ　「【０００９】
　このような課題を解決するために本発明では、液晶が左右に傾く左右ドメイン内の電界を上下に傾く上下ドメイン内の電界に比べて弱く維持する。
　具体的には、一つの画素領域が複数の小ドメインに分割されていて、各小ドメインはその内部に含まれている液晶分子が駆動電界印加時に傾く平均方向によって第１方向ドメインとこれに交叉する方向を有する第２方向ドメインに分類される液晶表示装置において、前記第１方向ドメイン内部の駆動電界は前記第２方向ドメイン内部の駆動電界に比べて弱い液晶表示装置を用意する。
【００１０】
　通常のテレビとして用いるためには、前記第１方向は液晶表示装置を正面で見る時左右方向であり、前記第２方向は上下方向であり、前記第１方向ドメイン内部の駆動電界が前記第２方向ドメイン内部の駆動電界に比べて弱い程度は液晶表示装置のセルギャップをｄとする時、０．０２／ｄ（Ｖ／μｍ）から０．５／ｄ（Ｖ／μｍ）の間であるのが好ましい。
【００１１】
　より具体的には、第１絶縁基板と、前記第１絶縁基板上に第１方向に形成されている第１信号線と、前記第１絶縁基板上に第２方向に形成されていて前記第１信号線と絶縁されて交差している第２信号線と、前記第１信号線及び前記第２信号線に連結されている第１薄膜トランジスタと、前記第１薄膜トランジスタが連結されている前記第１信号線及び前記第２信号線に連結されている第２薄膜トランジスタと、前記第１薄膜トランジスタに連結されている第１画素電極と、前記第２薄膜トランジスタに連結されている第２画素電極と、前記第１絶縁基板と対向する第２絶縁基板と、前記第２絶縁基板上に形成されている共通電極と、前記第１基板と前記第２基板の間に注入されている液晶物質層と、前記第１絶縁基板と前記第２絶縁基板のうちの少なくともいずれか一つの基板上に形成されていて、前記第１画素電極と前記第２画素電極を複数の小ドメインに分割するドメイン分割手段、とを含み、前記ドメイン分割手段は前記第１画素電極と前記第２画素電極とを各々第１方向ドメインと第２方向ドメインとに分割し、前記第１画素電極と前記第２画素電極とは互いに容量性結合をなす液晶表示装置を備える。
【００１２】
　この時、ｎとｍとを整数とする時、ｍ列のｎ行画素の第１及び第２薄膜トランジスタは
ｍ番目データ線に連結されており、ｍ列のｎ＋１行画素の第１及び第２薄膜トランジスタはｍ＋１番目データ線に連結されることができる。また、前記第２画素電極が全体画素領域で３０％乃至７０％を占める。前記液晶物質層に含まれている液晶分子は駆動電界が印加されない状態で前記第１及び第２絶縁基板に対して垂直に配向されている。」
　
　エ　「【００１８】
　本発明では上下ドメインに比べて左右ドメイン内の電界を常に弱く維持することによって左右側面からの視認性を向上させることができる。」
　
　オ　「【００２０】
　以下、図面を参考として本発明の実施例による液晶表示装置について説明する。
　図１は、本発明の第１実施例による液晶表示装置の配置図であり、図２は図１のII-II’線による断面図である。
【００２１】
　ガラスなどの透明な絶縁基板１０上に横方向にのびているゲート線２０が形成されており、ゲート線と平行して保持容量線３０が形成されている。・・・データ配線７０、７１、７２上にはドレーン電極７２を露出させる接触孔８１を有する保護膜８０が形成されており、保護膜８０上には接触孔８１を通じてドレーン電極７２と連結されている画素電極９０が形成されている。・・・
【００２２】
　この時、画素電極９０は第１乃至第３小部分９１、９２、９３に分離されており、これら小部分は連結部９４、９５、９６を通じて互いに連結されている。・・・
【００２３】
　この時、第１小部分９１には複数のスリット９９が形成されている。これらスリット９９によって有効電極面積率が減少し、電束が拡散するので、第１小部分９１と共通電極４００との間に形成される電界は第２小部分９２や第３小部分９３と共通電極４００の間に形成される電界に比べて弱い。
・・・
【００２６】
　次に、本発明の第１実施例による液晶表示装置の色フィルター基板について説明する。
　ガラスなどからなる透明な基板１００上にクロム/酸化クロム二重層からなるブラックマトリックス２００が形成されていて画素領域を定義している。各画素領域には色フィルター３００が形成されており、色フィルター３００上には透明な導電体からなる共通電極４００が基板１００全面に形成されている。共通電極４００には切除パターン５１０、５２０、５３０が形成されている。この時、切除パターン５１０、５２０、５３０は第１乃至第３切除部５１０、５２０、５３０からなっている。第１切除部５１０は画素領域の下半部を左右に２分しており、第２切除部５２０と第３切除部５３０は画素領域の上半部を上下に３分している。各切除部５１０、５２０、５３０の両端部はしだいに拡張されて二等辺三角形模様をなしており、これら各切除部５１０、５２０、５３０は互いに分離されている。
【００２７】
・・・以下、本発明の第１実施例による液晶表示装置について図１を参照しながら説明する。
【００２８】
　薄膜トランジスタ基板と色フィルター基板を整列して結合し、２枚の基板の間に液晶物質９００を注入して、それに含まれている液晶分子の方向子（普通は長軸方向）を垂直に配向し、二つの偏光板１１、１０１を２枚の基板１０、１００の外部にその偏光軸が互いに直交するように配置すれば、第１実施例による液晶表示装置が備えられる。
【００２９】
　２枚の基板１０、１００が整列された状態では薄膜トランジスタ基板の画素電極９０の
各小部分９１、９２、９３と色フィルター基板の共通電極４００に形成されている第１乃至第３切除部５１０、５２０、５３０が重畳して画素領域を複数の小ドメインに分割する。ここで、第１小部分９１と第１切除部５１０によって分割される小ドメインを上左右ドメイン（縦方向に長く形成される）、第２及び第３小部分９２、９３と第２及び第３切除部５２０、５３０によって分割される小ドメインを上下ドメイン（横方向に長く形成される）と区分する。これは電界印加時に液晶が傾く方向によって区分したものである。このように区分することにより、左右ドメインでは液晶分子の方向子が左右方向に傾き、上下ドメインでは液晶分子の方向子が上下方向に傾くので、ＶＡモードの上下左右全ての方向で一定水準の視野角を得ることができる。・・・
【００３０】
　一方、画素電極の第１小部分９１に形成されているスリット９９によって左右ドメイン内に形成される電界は上下ドメイン内に形成される電界に比べて弱い。これによって液晶表示装置の左右側面視認性が向上する。・・・」
　
　カ　「【００４２】
　図９は、本発明の第４実施例による液晶表示装置用薄膜トランジスタ基板の画素レベル配置図であり、図１０と図１１は、各々図９のX−X’線とXI−XI’線による断面図であり、図１２は、図９の薄膜トランジスタ基板を適用した液晶表示装置の等価回路図である。
【００４３】
　第４実施例は、第１〜第３実施例とは異なり、第１画素電極９１と第２画素電極９２の夫々が薄膜トランジスタを有している。
　まず、薄膜トランジスタ基板について説明する。
【００４４】
　ガラスなどの透明な絶縁基板１０上にゲート配線２０、２１と保持容量線３０が形成されている。
・・・。
【００４８】
　保護膜８０上には第１接触孔８１と第２接触孔８２を通じて第１ドレーン電極７２及び第２ドレーン電極７２、７３と各々連結されている第１及び第２画素電極９１、９２が形成されている。ここで、第２画素電極９２は結合電極７４と第３接触孔８３を通じて連結されており、第１画素電極９１は結合電極７４下端のＬ字形導電部と重なっていて電磁気的に結合（容量性結合）されている。結局、第１画素電極９１と第２画素電極９２は結合電極７４を媒介として容量性結合をなしている。画素電極９１、９２はＩＴＯまたはＩＺＯなどの透明な導電物質からなる。一方、第１画素電極９１は横方向に長くのびている横切除部９５を有している。・・・
【００４９】
　・・・次に、色フィルター基板について説明する。
【００５０】
　色フィルター基板には第１実施例による液晶表示装置でと同様に、ブラックマトリックス、色フィルター、共通電極が形成されており、共通電極には第１乃至第３切除部５１０、５２０、５３０が形成されている。この時、縦方向に長くのびている第１切除部５１０は第２画素電極９２を左右に二分して二つの左右ドメインに分割しており、横方向に長くのびている第２及び第３切除部５２０、５３０は第１画素電極９１を上下に３分する位置に形成されている。第２及び第３切除部５２０、５３０と横切除部９５によって第１画素電極９１は上下に４分されて四つの上下ドメインに分割している。
・・・
【００５２】
　・・・このような薄膜トランジスタ基板に対向して共通電極基板が所定の間隔をおいて配置されており、薄膜トランジスタ基板と共通電極基板との間には液晶物質が注入されている。この時、液晶物質は基板に対して垂直配向されている。・・・
【００５３】
　以上のように、薄膜トランジスタと画素電極を一つの画素領域当り２つずつ形成し、結合電極を使用して隣接する画素領域の二つの画素電極を容量性結合しておけば液晶表示装置を左右側面から見る時、視認性が低下することを防止することができる。これは左右ドメインをなす第２画素電極９２の電圧が上下ドメインをなす第１画素電極９１の電圧に比べて低く維持されて左右ドメイン内の電界が上下ドメイン内の電界に比べて弱くなるためである。
【００５４】
　以下、左右ドメインを構成する第２画素電極９２の電圧が上下ドメインをなす第１画素電極９１の電圧に比べて低く維持される理由を説明する。
　・・・図１２を参考として、一つの画素領域内に配置されている二つの画素電極[Ｐ（ｎ）−ａ、Ｐ（ｎ）−ｂ]の電位{Ｖ[Ｐ（ｎ）−ａ]、Ｖ[Ｐ（ｎ）−ｂ]}}の間の関係を導出する。
・・・
【００６１】
　数式１及び２に示したように、Ｐ（ｎ）−ｂ画素に印加される電圧とＰ（ｎ）−ａに印加される電圧は互いに異なる。特に、点反転駆動または線反転駆動をし、次の画素行が前回画素行と同じ階調を表示する場合（実際に殆どの画素がこのようなケースに該当する時間が多い）には、Ｖｄ（ｎ）＝−Ｖｄ（ｎ＋１）、Ｖｄ（ｎ）=−Ｖ’ｄ（ｎ）（共通電極電圧は接地電圧と仮定する）であるので、数式２は次の通りに整理できる。
【００６２】
【数３】略
【００６３】
　数式３によれば、Ｐ（ｎ）−ｂにはＰ（ｎ）−ａより低い電圧が印加されることが分かる。・・・」
　
　キ　「【００６４】
　図１３は、本発明の第５実施例による液晶表示装置用薄膜トランジスタ基板の画素レベル配置図であり、図１４は、図１３の薄膜トランジスタ基板を適用した液晶表示装置の等価回路図である。
【００６５】
　本発明の第５実施例では一つの画素列に含まれている薄膜トランジスタ及び画素電極が二つのデータ線に交互に連結されている。つまり、Ｐ（ｎ）画素の薄膜トランジスタと二つの画素電極（ａ，ｂ）はｍ番目データ線に連結されており、Ｐ（ｎ＋１）画素の薄膜トランジスタと二つの画素電極（ａ，ｂ）はｍ＋１番目データ線に連結されている。・・・第１画素電極９１が左右ドメインを構成し、第２画素電極９２が上下ドメインを構成する。
【００６６】
　このような構造で点反転駆動を遂行すれば、左右ドメイン内の電界が上下ドメイン内の電界に比べて弱く維持される。つまり、第１画素電極９１電位が第２画素電極９２電位に比べて常に低く維持されるため左右側面からの視認性が向上する。
・・・
【００６９】
　数式４によれば、第５実施例ではｂ画素の電圧がａ画素より高い。したがって、左右ドメイン内の電界が上下ドメイン内の電界に比べて常に低く維持されることができる。・・・」
　
　
４　当審の判断
（１）上記３によれば、発明の詳細な説明には、本願発明に関して、以下の事項が記載されているものと認められる。
　
　ア　本発明が目的とする技術的課題は、側面視認性に優れた多重ドメイン液晶表示装置を実現することであること（上記３（２）イ（【０００８】）参照。）。
　
　イ　上記アの課題を解決するために、本発明では、液晶が左右に傾く左右ドメイン内の電界を上下に傾く上下ドメイン内の電界に比べて弱く維持すること（上記３（２）ウ（【０００９】）参照。）。
　
　ウ　本発明では上下ドメインに比べて左右ドメイン内の電界を常に弱く維持することによって左右側面からの視認性を向上させることができること（上記３（２）エ（【００１８】）参照。）。
　
　エ　左右ドメイン及び上下ドメインは、電界印加時に液晶が傾く方向によって区分したものであり、左右ドメインでは液晶分子の方向子が左右方向に傾き、上下ドメインでは液晶分子の方向子が上下方向に傾くこと（上記３（２）オ（【００２９】）参照。）。
　
　オ　薄膜トランジスタと画素電極を一つの画素領域当り２つずつ形成し、第２画素電極９２を結合電極７４と第３接触孔８３を通じて連結し、第１画素電極９１を結合電極７４下端のＬ字形導電部と重ねて容量性結合した第４実施例の液晶表示装置において、液晶表示装置を左右側面から見る時、左右ドメインをなす第２画素電極９２の電圧が上下ドメインをなす第１画素電極９１の電圧に比べて低く維持されて左右ドメイン内の電界が上下ドメイン内の電界に比べて弱くなるため、視認性が低下することを防止することができること（上記３（２）カ参照。）。
 　 
　カ　一つの画素列に含まれている薄膜トランジスタ及び画素電極が二つのデータ線に交互に連結され、（第２画素電極９２を結合電極７４と第３接触孔８３を通じて連結し、第１画素電極９１を結合電極７４下端のＬ字形導電部と重ねて容量性結合し、）第１画素電極９１が左右ドメインを構成し、第２画素電極９２が上下ドメインを構成する第５実施例の液晶表示装置において、点反転駆動を遂行すれば、左右ドメイン内の電界が上下ドメイン内の電界に比べて弱く維持され、第１画素電極９１電位が第２画素電極９２電位に比べて常に低く維持されるため左右側面からの視認性が向上すること（上記３（２）キ参照。）。
 　 
　すなわち、発明の詳細な説明には、第１画素電極９１（あるいは第２画素電極９２）が電界印加時に液晶が上下に傾く上下ドメインを構成し、第２画素電極９２（あるいは第１画素電極９１）が電界印加時に液晶が左右に傾く左右ドメインを構成する多重ドメイン液晶表示装置において、左右ドメイン内の電界を上下ドメイン内の電界に比べて弱く維持することにより、左右側面からの側面視認性の優れた多重ドメイン液晶表示装置を実現する発明が一貫して記載されているものと理解できる。
　
（２）しかるに、本願発明は、単に「前記液晶層は、前記第１画素電極に対応する第１液晶領域と、前記第２画素電極に対応する第２液晶領域とを備え、前記液晶表示装置に電界が印加される際に、前記第１液晶領域に印加される電界が、前記第２液晶領域に印加される電界と異なり、前記第１液晶領域と前記第２液晶領域は複数のドメインを備える」ことが特定されるにとどまるもの、すなわち、各ドメインにおいて液晶が傾く方向や各領域に印加される電界がどのような点において異なるのかといった点に関係なく、単に、「第１液晶領域」と「第２液晶領域」が「複数のドメイン」を備え、「『第１液晶領域』に印加される『電界』」が「『第２液晶領域』に印加される『電界』」と異なる、とするものである。
　そして、上記（１）に照らして、各ドメインにおいて液晶が傾く方向や各領域に印加される電界がどのような点において異なるのかといった点に関係なく、単に、「第１液晶領域」と「第２液晶領域」が「複数のドメイン」を備え、「『第１液晶領域』に印加される『電界』」が「『第２液晶領域』に印加される『電界』」と異なるとする液晶表示装置の発明、すなわち、本願発明が、発明の詳細な説明に記載したものであるとは認められない。
　
　
５　むすび
　以上のとおりであるから、本願は、特許法第３６条第６項第１号に規定する要件を満たしていない。
　
　よって、結論のとおり審決する。